(57)【要約】本発明は血圧計用カフに関し、さらに詳しくは、血圧を測定するための血圧計に結合され、体に着用されて、血圧測定部位を圧迫するカフにおいて、前記体の血圧測定部位に巻き付けられて着用され、内部に膨脹される膨張ゴム嚢が設けられたカフバンドと；前記カフバンドに連結され、流体を供給して前記膨張ゴム嚢を膨脹させる流体供給器と；前記カフバンドに設けられ、前記流体供給器によって膨脹される前記膨張ゴム嚢を少なくとも二つ以上に分割して分割膨脹させるゴム嚢セパレーターと；を含む血圧計用カフに関する。本発明によれば、血圧測定部位を加圧する膨張ゴム嚢がゴム嚢セパレーターによって分割されるので、血圧測定部位の太さに適する長さ及び幅に伸縮されて、血圧が正確に測定されることができるという效果を奏する。【選択図】図１
2013530769.tif 000002
【特許請求の範囲】
【請求項１】
血圧を測定するための血圧計に結合され、体に着用されて血圧測定部位を圧迫するカフにおいて、
前記体の血圧測定部位に巻き付けられて着用され、内部に膨脹される膨張ゴム嚢が設けられたカフバンドと；
前記カフバンドに連結され、流体を供給して前記膨張ゴム嚢を膨脹させる流体供給器と；
前記カフバンドに設けられ、前記流体供給器によって膨脹される前記膨張ゴム嚢を少なくとも二つ以上に分割して分割膨脹させるゴム嚢セパレーターと；を含むことを特徴とする血圧計用カフ。
【請求項２】
前記ゴム嚢セパレーターは、
前記膨張ゴム嚢に設けられて、前記流体供給器によって膨脹される膨張ゴム嚢の膨脹空間を少なくとも二つ以上に分割する分割壁と；
前記分割壁にそれぞれ設けられ、前記流体供給器から供給された流体を制限する膨脹バルブと；を含むことを特徴とする請求項１に記載の血圧計用カフ。
【請求項３】
前記分割壁は、
前記膨張ゴム嚢の膨脹空間を子供の血圧測定部位を圧迫する基本膨脹空間に区画するメイン壁と；
前記メイン壁の一側に設けられて、前記基本膨脹空間の側方に追加膨脹空間を区画する少なくとも一つの拡張壁と；を含むことを特徴とする請求項２に記載の血圧計用カフ。
【請求項４】
前記ゴム嚢セパレーターは、
前記膨張ゴム嚢の一側に設けられて、前記血圧測定部位の太さを測定する太さ測定センサーと；
前記太さ測定センサーで測定された血圧測定部位の太さによって前記膨脹バルブを開閉させるコントローラーと；をさらに含むことを特徴とする請求項２に記載の血圧計用カフ。
【請求項５】
前記カフバンドに設けられて、カフバンドに巻き付けられる前記血圧測定部位の太さを測定する太さ測定部材；をさらに含み、
前記太さ測定部材は、
前記カフバンドの一側に付着される巻き尺または太さ感知センサーの中から選択される何れか一つであることを特徴とする請求項１に記載の血圧計用カフ。
【発明の詳細な説明】
【技術分野】
【０００１】
本発明は血圧計用カフに関し、さらに詳しくは、血圧を測定するために血圧測定部位に着用されて、血圧測定部位を加圧する血圧計用カフに関する。
【背景技術】
【０００２】
１９０５年コルトコフ（Ｋｏｒｏｔｋｏｆｆ）が間接的血圧測定時に、コルトコフ音を基準にする聴診法を提案した以来、間接血圧測定法はおよそ１００年間大きい変化がなかった。
【０００３】
コルトコフ方式（聴診法）はオシロメトリック方式と同様に、収縮期血圧以上にカフ圧力を上げて一度血流を止めた後に、徐徐にカフ圧力を降下させた時に、一度止めた血流が再開されるタイミングで発生するコルトコフ音をカフの下流側となる末梢側で検出し、その時の血圧測定用カフの内圧を収縮期血圧値（最高血圧）として求め、コルトコフ音が消滅された時のカフの内圧を拡張期血圧値（最低血圧）として求める。
【０００４】
１９６５年カフーオシロメトリック法（ｃｕｆｆ−ｏｓｉｌｌｏｍｅｔｅｒ）で平均血圧を推定する理論を提示した以後、理論及び技術が発展するに従って、収縮期及び拡張期の血圧の同定法が確立された。このようなカフオシロメトリック法は収縮期血圧以上の高い圧力までカフ圧力を一度上昇させ、徐徐にカフ圧力を下降させる時に動脈の容積変化に基づいて発生する動脈の振動を検出し、この振動の振幅変化により血圧を決定していた
上記したカフオシロメトリック法は、血流が再開される現象を、カフ下の動脈の容積変化によって発生するカフ圧力に重畳している圧力変化から求める方法である。これにより、コルトコフ方式において必要となるコルトコフ音の検出を行うためのマイクロフォンまたは聴診器が不要となるので、コルトコフ方式よりも部品が少なく、また製造費用も低くなるという長所があって、今日、電子式自動血圧計の大部分はカフオシロメトリック法を利用している。
【０００５】
臨床及び研究において、血圧測定法の基準は相変らず随時診察室血圧である。しかし、診察室血圧は１９４０年自己血圧測定法と言う概念が導入された後、自己血圧と差があることが知られた。即ち、血圧は測定方法によって血圧情報の質と量が大きく異なると報告され、診察室血圧の臨床的意味は論難になって来た実情である。
【０００６】
近来、活動血圧及び家庭血圧は診察室の随時血圧より臨床的価値が大きいことが立証されている。それは、活動血圧及び家庭血圧は単位時間以内に測定頻度が越等に多く、従って、血圧情報の量及び質的改善が伴っているからである。
【０００７】
電子血圧計は上腕型、手首型、及び指型がある。指型血圧計はその便利性及び便宜性により、相当な注目を集めているが、指型血圧計は生理的に上腕血圧と違って、冬季には血管痙攣が問題になり、静水圧（ｈｙｄｒｏｓｔａｔｉｃ  ｐｒｅｓｓｕｒｅ）の差が不可避であることが分かった。
【０００８】
手首型血圧計は非常に便利で、且つ携帯が容易であることから、広く使われているが、最大の問題は静水圧の差である。
【０００９】
血圧測定の基準位置は右心房である。例えば、血圧は測定部位が右心房から１０ｃｍ下の部分にあれば、上腕（右心房位置）より収縮期及び拡張期何れも７ｍｍＨｇ高くなり、逆に、測定部位が右心房から１０ｃｍ上にあれば、７ｍｍＨｇ低く測定される。そこで、手首型血圧計は手首を心臓の高さに置いて測定しなければならないが、使用者の不注意によって守られない場合が頻繁に発生して、血圧の測定が一貫して行われない。
【００１０】
上腕血圧計は右心房が位置する上腕部位を測定するので、上述した指型や手首型に比べて血圧を正確に示すが、上述した静水圧の差による問題を常に認識しなければならない。また、上腕血圧計は上腕の太い人や細い人にはそれぞれ大型若しくは小型カフを用いることを薦めている。
【００１１】
１９９３年アメリカ心臓協会は、カフに空気を注入すると膨脹されて上腕を圧迫する膨脹部分の最適化された幅及び長さを推薦した。推薦された膨脹部分の幅は上腕の中間地点の周り数値の４０％で、長さは上腕の中間地点の周りの数値の８０％にした。
【００１２】
具体的に、上腕の周長が１６〜２１ｃｍである子供の場合、膨脹部分は幅６ｃｍ、長さ２１ｃｍに規定し、上腕の周長が２７〜３４ｃｍである普通の大人の場合、膨脹部分は幅１３ｃｍ、長さ３０ｃｍに、上腕の周長が３５〜４４ｃｍである大きい大人の場合、膨脹部分は幅１６ｃｍ、長さ３８ｃｍに、上腕の周長が４５〜５２ｃｍである非常に厚い大人の場合、膨脹部分は幅２０ｃｍ、長さ４２ｃｍに規定した。
【００１３】
２００５年発表された１９９９−２００２年米国国家健康及び栄養評価結果で、米国人の上腕周りの変化結果を見ると、性別、年齢、人種、民族によって異なり、高血圧や糖尿病などに伴う疾患の否かによって変化された増加様相を見せるが、全ての年令層で増加された様相を見せている。
【００１４】
韓国も２００８年国民栄養評価で、全体人口の３０％の程度が肥満に診断された。残念ながら、韓国の調査には、腕の周長は表記されなかったが、増加されたことと推測される。
【００１５】
結論的に、血圧はこのような体の変化を反映しない状態で、画一化された大きさの膨脹部分を有するカフを用いて測定すれば実際より高く若しくは低く測定される虞がある。
【００１６】
さらに、オシロメトリック法を利用した自動測定装置は、心臓と血管系疾患の合病症予後予測に最も正確な信頼性を有する家庭血圧の重要性から、個人が購入して家庭で半永久的に用いる場合が多く、体の変化が反映されない場合、測定する使用者はもちろん担当主治医に誤った血圧測定値を提供することになる。ひいては、誤った血圧測定値は血圧調節薬用量の管理にも問題を誘発する危険がある。
【発明の概要】
【発明が解決しようとする課題】
【００１７】
本発明は上述した従来の技術問題点を解決するために創出されたもので、上腕を圧迫する膨脹部分が分割膨脹されて、上腕の周長に適するように流動的に調節されて、血圧を正確に測定することができる血圧計用カフを提供することをその目的とする。
【００１８】
また、流体によって膨脹される膨脹部分の長さ及び幅が分割され、分割された膨脹部分が流体を制限する部材を通じて流体が注入される血圧計用カフを提供することをその目的とする。
【００１９】
また、膨脹部分が、子供のように太さの細い上腕に適する基本空間と、大人のように太さの太い上腕に適する拡張空間に分割されて膨脹する血圧計用カフを提供することをその目的とする。
【００２０】
また、上腕の周長が感知され、感知された上腕の周長に適するように膨脹部分が伸縮される血圧計用カフを提供することをその目的とする。
【００２１】
また、上腕の周りの太さを測定する部材が設けられた血圧計用カフを提供することをその目的とする。
【課題を解決するための手段】
【００２２】
上記のような目的を達するために、本発明の一つの様相は、血圧を測定するための血圧計に結合され、体に着用されて血圧測定部位を圧迫するカフにおいて、上記体の血圧測定部位に巻き付けられて着用され、内部に膨脹される膨張ゴム嚢が設けられたカフバンドと；上記カフバンドに連結され、流体を供給して上記膨張ゴム嚢を膨脹させる流体供給器と；上記カフバンドに設けられ、上記流体供給器によって膨脹される上記膨張ゴム嚢を少なくとも二つ以上に分割して分割膨脹させるゴム嚢セパレーターと；を含む血圧計用カフに関する。
【００２３】
上記ゴム嚢セパレーターは、例えば、上記膨張ゴム嚢に設けられて、上記流体供給器によって膨脹される膨張ゴム嚢の膨脹空間を少なくとも二つ以上に分割する分割壁と；上記分割壁にそれぞれ設けられ、上記流体供給器から供給された流体を制限する膨脹バルブと；を含むことができる。
【００２４】
上記分割壁は、例えば、上記膨張ゴム嚢の膨脹空間を子供の血圧測定部位を圧迫する基本膨脹空間に区画するメイン壁と；上記メイン壁の一側に設けられ、上記基本膨脹空間の側方に追加膨脹空間を区画する少なくとも一つの拡張壁と；を含むことができる。
【００２５】
また、上記ゴム嚢セパレーターは、上記膨張ゴム嚢の一側に設けられて、上記血圧測定部位の太さを測定する太さ測定センサーと；上記太さ測定センサーで測定された血圧測定部位の太さによって上記膨脹バルブを開閉させるコントローラーと；をさらに含むことができる。
【００２６】
また、本願発明は上記カフバンドに設けられて、カフバンドに巻き付けられる上記血圧測定部位の太さを測定する太さ測定部材をさらに含み、上記太さ測定部材は、上記カフバンドの一側に付着される巻き尺または太さ感知センサーの中から選択される何れか一つであることを特徴とする。
【発明の効果】
【００２７】
上述したような本発明による血圧計用カフによれば、血圧測定部位を加圧する膨張ゴム嚢がゴム嚢セパレーターによって分割されて、血圧測定部位の太さに適する長さ及び幅に膨脹されるので、血圧を正確に測定することができるという效果を奏する。
【００２８】
また、ゴム嚢セパレーターは少なくとも二つ以上の分割壁に分割され、流体を制限する膨脹バルブによって連通されるので、血圧測定部位の太さに適するように膨張ゴム嚢を膨脹させることができるという效果を奏する。
【００２９】
また、膨張ゴム嚢はメイン壁によって形成される基本膨脹空間で子供のように太さの細い上腕を正確に圧迫することができ、拡張壁によって形成される追加膨脹空間で大人のように太さの太い上腕を圧迫して血圧を正確に測定することができる。
【００３０】
また、膨張ゴム嚢は太さ測定センサーによって血圧測定部位の太さを感知し、コントローラーによって膨脹バルブが調節されて、感知された太さに適するように膨脹されるので、電子血圧計や自動血圧装置に適用されることができるという長所がある。
【００３１】
さらに、カフバンドに設けられる太さ測定部材である巻き尺や太さ感知センサーによって上腕の太さを測定することができるので、測定された太さによって膨脹バルブを調節して、基本膨脹空間及び追加膨脹空間を膨脹させることができるという效果を奏する。
【図面の簡単な説明】
【００３２】
【図１】本発明の実施例による血圧計用カフを示す正面図である。
【図２】図１に示された血圧計用カフの膨張ゴム嚢を示す正面図である。
【図３】図２に示された膨張ゴム嚢の動作を示す縦断面図である。
【図４】図１に示された血圧計用カフを通常の自動血圧測定装置に設置した状態図である。
【発明を実施するための形態】
【００３３】
以下、添付図面を参照して本発明の具現例についてさらに詳しく説明する。また、本発明を説明するに先立ち、係わる公知の汎用的な機能または構成に対する詳細な説明は省略する。
【００３４】
図１は本発明の実施例による血圧計用カフを示す正面図であり、図２は図１に示された血圧計用カフの膨張ゴム嚢を示す正面図であり、図３は図２に示された膨張ゴム嚢の動作を示す縦断面図である。
【００３５】
図１によれば、本発明の血圧計用カフは、カフバンド１０と、流体供給器２０及びゴム嚢セパレーター３０を含んで構成されることができる。
【００３６】
カフバンド１０は、血圧を測定する際に、体の血圧測定部位に巻き付けられて着用され、内部に膨張ゴム嚢１５が設けられる。このようなカフバンド１０は伸縮性を有する材質で形成されることが好ましい。
【００３７】
カフバンド１０は、拡大して図示したように、二枚のシート１０ａ、１０ｂが重なってなり、重畳されたシート１０ａ、１０ｂの周縁が互いに接合されて形成され、シート１０ａ、１０ｂの周縁を密封する別途の接合部材を通じて形成されることもできる。
【００３８】
一方、カフバンド１０は両側にファスナー１１がそれぞれ設けられる。ファスナー１１はカフバンド１０の着用時、互いに結合されて、カフバンド１０を血圧測定部位に固定させる。
【００３９】
ここで、カフバンド１０が着用される血圧測定部位は心臓の右心房と大体同じ高さにある上腕（ヒジから上の腕部分）が好ましい。
【００４０】
膨張ゴム嚢１５はカフバンド１０の内側に設けられて、カフバンド１０と一緒に血圧測定部位に巻き付けられ、後述する流体供給器２０から供給される流体によって膨脹されて血圧測定部位を加圧する。このような膨張ゴム嚢１５は、拡大して図示したように、重畳されたシート１０ａ、１０ｂによって形成される空間である。
【００４１】
ここで、膨張ゴム嚢１５は設定された長さＬ１及び幅Ｗ１に形成されることが好ましい。このように設定された長さＬ１及び幅Ｗ１は、前述した血圧測定部位に巻き付けられることができる最大長さ及び最大幅である。例えば、膨張ゴム嚢１５は太さが非常に厚い大人の上腕に巻き付けられることができる４２ｃｍの長さＬ１及び２０ｃｍの幅Ｗ１を有する。
【００４２】
流体供給器２０はカフバンド１０に連結されて、膨張ゴム嚢１５に気体または液体などの流体を供給する。このような流体供給器２０は膨張ゴム嚢１５に設けられた流入口１５ａを通じて膨張ゴム嚢１５に連結され、図示したように、腕力によって流体を供給する通常の手動ポンプが用いられることができる。また、流体供給器２０は、図示したのと異なって、電源によって作動されて流体を供給する通常の自動ポンプが用いられることもできる。従って、膨張ゴム嚢１５は流体供給器２０の流体によって膨脹される。
【００４３】
また、膨張ゴム嚢１５は膨脹圧力を測定して血圧を測定する血圧計（図示しない）に連結される。
【００４４】
一方、本発明の血圧計用カフは太さ測定部材１８をさらに含んで構成されることができる。太さ測定部材１８は、図示したように、カフバンド１０に付着されて、血圧測定部位に巻き付けられながら、血圧測定部位の太さを測定する巻き尺が用いられることができる。これと異なって、太さ測定部材１８はカフバンド１０に付着されて血圧測定部位の太さを感知する太さ感知センサー（図示しない）で構成されることもできる。
【００４５】
ゴム嚢セパレーター３０は膨張ゴム嚢１５に設けられて、流体供給器２０によって膨脹される膨張ゴム嚢１５を少なくとも二つ以上に分割して分割膨脹させる構成要素である。
【００４６】
図２によれば、ゴム嚢セパレーター３０は膨張ゴム嚢１５の内側に設けられる分割壁３１及び膨脹バルブ３７を含んで構成されることができる。
【００４７】
分割壁３１は膨張ゴム嚢１５の内部で上述したシート１０ａ、１０ｂが互いに接合されて形成される。このような分割壁３１はメイン壁３３及び拡張壁３５で構成されることができる。
【００４８】
メイン壁３３は膨張ゴム嚢１５の内部に基本膨脹空間３４を区画する。ここで、基本膨脹空間３４は流入口１５ａを通じて流体供給器２０と連結され、血圧測定部位に巻き付けられることができる最小長さＬ２及び最小幅Ｗ２に形成される。
【００４９】
例えば、基本膨脹空間３４は、子供のように太さの細い上腕に巻き付けられて膨張することができる１２ｃｍの長さＬ２及び６ｃｍの幅Ｗ２を有する。従って、膨張ゴム嚢１５はメイン壁３３によって基本膨脹空間３４を形成して、子供の上腕を圧迫することができる。
【００５０】
拡張壁３５はメイン壁３３の一側に設けられて、基本膨脹空間３４の長さ及び幅を拡張させる追加膨脹空間３６を区画する。ここで、追加膨脹空間３６は基本膨脹空間３３の前方及び側方で膨脹されて、基本膨脹空間３４によって膨脹される膨脹部位を拡張させる。
【００５１】
このような追加膨脹空間３６は、図示したように、メイン壁３３によって矩形に区画された基本膨脹空間３４の一側で「┌」形に区画されることによって、基本膨脹空間３４によって膨脹される膨脹部位の長さ及び幅を拡張させる。
【００５２】
拡張壁３５は、図示したように、少なくとも一つ以上に区画されて、少なくとも二つ以上の追加膨脹空間３６ａ、３６ｂ、３６ｃを形成することができる。即ち、追加膨脹空間３６は少なくとも二つ以上に分割されて順次に膨脹することができる。例えば、一番目の追加膨脹空間３６ａは普通の大人の上腕に適するように３０ｃｍの長さ及び１３ｃｍの幅を有し、二番目の追加膨脹空間３６ｂは、上腕の太さが太い大人の上腕に適するように３８ｃｍの長さ及び１６ｃｍの幅に形成され、三番目の追加膨脹空間３６ｃは上腕の太さが非常に太い大人の上腕に適するように４２ｃｍの長さ及び２０ｃｍの幅を有する。
【００５３】
従って、膨張ゴム嚢１５はメイン壁３３によって最小長さＬ２及び最小幅Ｗ２に膨脹され、拡張壁３５によって最大長さＬ１及び最大幅Ｗ１に膨脹される。
【００５４】
膨脹バルブ３７は上述した分割壁３１にそれぞれ設けられて、流体供給器２０から供給された流体を制限する。即ち、膨脹バルブ３７はメイン壁３３及び拡張壁３５にそれぞれ設けられ、流体を制限して膨張ゴム嚢１５の膨脹部位を上腕の太さに適するように膨脹させる。
【００５５】
膨脹バルブ３７は、図示したように、膨張ゴム嚢１５の一側端部に形成されることが好ましい。このような膨脹バルブ３７は、拡大して図示したように、貫通孔３８ａ及びキャップ３８で構成されることができる。キャップ３８は流体を制限し、破線で示すように、加圧によって湾曲されながら開放され、流体は貫通孔３８ａ及び開放されたキャップ３８を通じて移動する。
【００５６】
例えば、膨脹バルブ３７は通常の水遊び用チューブに設置されたゴム材料の空気供給バルブ（チェックバルブ）で構成されることができる。即ち、膨脹バルブ３７は弾力性及び密閉性を有する材質で形成される通常の空気供給バルブで構成されることができる。
【００５７】
図３によれば、膨脹バルブ３７は流体Ｆを制限するバルブ本体３７ａ及びバルブ本体３７ａを調節する開閉ボタン３７ｂとで構成されることもできる。即ち、流体Ｆは流入口１５ａを通じて流入されて、膨張ゴム嚢１５の基本膨脹空間３４を膨脹させ、メイン壁３３及び膨脹バルブ３７によって制限される。
【００５８】
また、膨脹バルブ３７は追加膨脹空間３６を膨脹させる時、バルブ本体３７ａが開閉ボタン３７ｂによって開放されて、流体Ｆを追加膨脹空間３６に供給する。このような膨脹バルブ３７は、図示したのと異なって、電源によって作動される通常のソレノイドバルブで構成されることもできる。
【００５９】
一方、ゴム嚢セパレーター３０は太さ測定センサー４１及びコントローラー４３をさらに含んで構成されることができる。太さ測定センサー４１は膨張ゴム嚢１５の外側に設けられて、膨張ゴム嚢１５に巻き付けられる血圧測定部位の太さを感知し、感知された太さ信号をコントローラー４３に印加する。
【００６０】
即ち、太さ測定センサー４１は血圧が測定される上腕の太さを自動的に感知し、コントローラー４３は太さ測定センサー４１で感知されて印加された上腕の太さ信号によって膨脹バルブ３７のバルブ本体３７ａを開閉させて、膨張ゴム嚢１５を上腕の太さに適するように膨脹させる。従って、膨張ゴム嚢１５は太さ測定センサー４１及びコントローラー４３によって自動的に膨脹される幅及び長さが調節される。
【００６１】
図４によれば、本発明の血圧計用カフは通常の自動血圧測定装置５０に設置されて用いられることができる。この時、カフバンド１０は自動血圧測定装置５０に内装され、上述した太さ測定センサー４１及びコントローラー４３によって上腕の太さに適するように自動的に膨張ゴム嚢１５を膨脹させる。ここで、自動血圧測定装置５０は通常の自動測定装置が用いられるので構成の詳細な説明は省略する。
【００６２】
上記のような構成部位を含む本発明の血圧計用カフの作用を説明する。本発明の血圧計用カフは、血圧を測定する際に体に着用される。
【００６３】
図１によれば、カフバンド１０は血圧測定部位、好ましくは、上腕に巻き付けられて着用される。この時、カフバンド１０は上腕に巻き付けられた後、両側に設けられたファスナー１０ａによって固定される。
【００６４】
ここで、カフバンド１０を上腕に巻き付ける時、太さ測定部材１８である巻き尺または太さ感知センサーを通じて上腕の太さを認知し、上腕の太さに適するよう膨張ゴム嚢１５の膨脹長さ及び膨脹幅を決める。
【００６５】
膨張ゴム嚢１５はカフバンド１０と一緒に上腕に巻き付けられて流体供給器２０によって膨脹しながら上腕を加圧する。
【００６６】
図２によれば、ゴム嚢セパレーター３０は膨張ゴム嚢１５を上腕の太さに適するように分割膨脹させる。
【００６７】
膨張ゴム嚢３０はメイン壁３３及び拡張壁３５によって基本膨脹空間３４及び追加膨脹空間３６に分割され、膨脹バルブ３７によって連通される。
【００６８】
基本膨脹空間３４は、子供のように太さの細い上腕の血圧を測定する場合に膨脹され、追加膨脹空間３６は多段階に分割されて、上腕の太さが普通の大人３６ａ、太い大人３６ｂ、非常に太い大人３６ｃの上腕の血圧を測定する場合に段階的に膨脹される。
【００６９】
従って、膨張ゴム嚢１５はメイン壁３３によって最小長さＬ２及び最小幅Ｗ２に膨脹され、拡張壁３５によって段階的に拡張膨脹されて、最大長さＬ１及び最大幅Ｗ１に膨脹されることができる。
【００７０】
図３によれば、（ａ）は子供の血圧を測定する場合を示し、（ｂ）は上腕の太さが普通の大人より太い大人の血圧を測定する場合を示す。
【００７１】
（ａ）によれば、検査者は被検者が子供である場合、メイン壁３３に設けられた膨脹バルブ３７の開閉ボタン３７ｂを調節して、バルブ本体３７ａを閉鎖させ、流体供給器２０で流入口１５ａを通じて流体Ｆを供給して基本膨脹空間３４を膨脹させて上腕を圧迫する。
【００７２】
（ｂ）によれば、検査者は被検査者の上腕の太さが普通の大人より太い大人である場合、メイン壁３３及び拡張壁３５に設けられた膨脹バルブ３７を開放させ、三番目の追加膨脹空間３６ｃを制限する膨脹バルブ３７のみを閉鎖させる。この時、流体Ｆは基本膨脹空間３４を膨脹させた後、開放された膨脹バルブ３７を通じて流入されて、一番目及び二番目の追加膨脹空間３６ａ、３６ｂを膨脹させて上腕を圧迫する。
【００７３】
圧迫が完了されると、血圧計（図示しない）を通じて血圧を測定して検査を完了する。
【００７４】
一方、膨張ゴム嚢１５は太さ測定センサー４１によって上腕の太さを感知し、感知された太さによって膨脹バルブ３７を開閉させるコントローラー４３によって上腕の太さに適するように膨脹されて血圧測定部位を加圧する。
【００７５】
図４によれば、カフバンド１０は自動血圧測定装置５０に設置され、太さ測定センサー４１及びコントローラー４３によって自動的に膨張ゴム嚢１５が上腕の太さに適するように膨脹される。
【００７６】
上述したような本発明の血圧計用カフによれば、血圧測定部位を加圧する膨張ゴム嚢が画一的な長さ及び幅に膨脹されないで、血圧測定部位の太さに適するように伸縮されるので、血圧を正確に測定することができるという長所がある。また、本発明の血圧計用カフは手動式血圧計や電子血圧計または自動血圧測定装置に適用されることができる。
【００７７】
以上で本発明の具体的な実施例を例に挙げて説明したが、これらはただ説明の目的で挙げられたものであって、本発明の保護範囲を制限するのではない。本発明の技術的思想を逸脱しない範囲内で多様な置換、変形及び変更が可能であることは本発明が属する技術分野における通常の知識を有する者にとって自明である。
【００７８】
産業上の利用可能性
本発明は血圧計用カフを測定対象者の手動式血圧計や電子血圧計または自動血圧測定装置に用いることができるので、医療機器産業分野に適用することができる。
【００７９】
【図１】
2013530769.tif 000003
【図２】
2013530769.tif 000004
【図３】
2013530769.tif 000005
【図４】
2013530769.tif 000006
【国際調査報告】
2013530769.tif 000007
2013530769.tif 000008
2013530769.tif 000009
2013530769.tif 000010